(57)【特許請求の範囲】
【請求項１】
被写体を撮像する撮像部と、
前記撮像部による撮像を指示する操作部と、
前記撮像部により撮像した前記被写体の画像データを記憶する画像記憶部と、
音声データが予め記憶されている音声記憶部と、
前記音声記憶部に記憶されている前記音声データに基づく音声を出力する出力部と、
前記撮像部により撮像が行われた際に前記出力部から出力されていた前記音声の音声データに関する情報と前記画像データとを関連付けるデータ制御部と、
前記撮像部により撮像を行う際に、環境音を取得する音声取得部と、
前記音声取得部において取得した環境音の環境音データを記憶する取得音声記憶部と、
前記取得音声記憶部に記憶されている前記環境音データから前記音声データを除去する音声除去部と、
前記画像記憶部に記憶された前記画像データに基づく画像を再生する際に、前記画像データに関連付けられた前記音声データに基づく音声を同時に出力するか否か、前記取得音声記憶部に記憶されている前記環境音データに基づく環境音を同時に出力するか否か、前記取得音声記憶部に記憶されている前記環境音データに基づく環境音を同時に出力する際に前記音声除去部により前記環境音データから前記音声データを除去するか否かを選択する選択部と
を備え、
前記操作部は、シャッタボタンを備え、
前記出力部は、前記撮像部による撮像が行われる前に前記音声データに基づく音声の出力を開始し、前記シャッタボタンの半押し操作時に、前記音声データに基づく音声の出力の音量を小さくすることを特徴とする撮像装置。
【請求項２】
前記画像データに基づく画像を表示する表示部を更に備え、
前記表示部は、前記出力部から前記音声データに基づく音声を出力した状態で前記撮像部により撮像を行なう際に、前記音声データに関する情報を表示することを特徴とする請求項１記載の撮像装置。
【請求項３】
前記音声データに関する情報は、前記音声データのファイル名及び前記音声データの再生位置情報を含むことを特徴とする請求項１または２に記載の撮像装置。
【請求項４】
前記音声データの再生位置を指定する指定部を更に備え、
前記音声データに関する情報は、前記音声データのファイル名及び前記指定部により指定した再生位置情報を含むことを特徴とする請求項１〜３の何れか一項に記載の撮像装置。
【発明の詳細な説明】
【技術分野】
【０００１】
本発明は、撮像装置に関するものである。
【背景技術】
【０００２】
従来、音楽を再生しながら撮像を行うことができる撮像装置が存在する（例えば、特許文献１参照）。
【先行技術文献】
【特許文献】
【０００３】
【特許文献１】特開２０００−３５０１４６号公報
【発明の概要】
【発明が解決しようとする課題】
【０００４】
しかし、上述の撮像装置においては、撮像時に再生されていた音楽を撮像した画像と共に記憶した場合、撮像した画像を再生する際には画像と音楽が同時に再生されてしまうという問題がある。
【課題を解決するための手段】
【０００５】
本発明の撮像装置は、被写体を撮像する撮像部と、前記撮像部による撮像を指示する操作部と、前記撮像部により撮像した前記被写体の画像データを記憶する画像記憶部と、音声データが予め記憶されている音声記憶部と、前記音声記憶部に記憶されている前記音声データに基づく音声を出力する出力部と、前記撮像部により撮像が行われた際に前記出力部から出力されていた前記音声の音声データに関する情報と前記画像データとを関連付けるデータ制御部と、前記撮像部により撮像を行う際に、環境音を取得する音声取得部と、前記音声取得部において取得した環境音の環境音データを記憶する取得音声記憶部と、前記取得音声記憶部に記憶されている前記環境音データから前記音声データを除去する音声除去部と、前記画像記憶部に記憶された前記画像データに基づく画像を再生する際に、前記画像データに関連付けられた前記音声データに基づく音声を同時に出力するか否か、前記取得音声記憶部に記憶されている前記環境音データに基づく環境音を同時に出力するか否か、前記取得音声記憶部に記憶されている前記環境音データに基づく環境音を同時に出力する際に前記音声除去部により前記環境音データから前記音声データを除去するか否かを選択する選択部とを備え、前記操作部は、シャッタボタンを備え、前記出力部は、前記撮像部による撮像が行われる前に前記音声データに基づく音声の出力を開始し、前記シャッタボタンの半押し操作時に、前記音声データに基づく音声の出力の音量を小さくすることを特徴とする。
【発明の効果】
【０００６】
本発明の撮像装置によれば、撮像した画像を再生する際に撮像時に出力していた音声を同時に出力するか否かを選択することができる。
【図面の簡単な説明】
【０００７】
【図１】実施の形態に係るデジタルカメラのシステム構成を示すブロック図である。
【図２】実施の形態に係るデジタルカメラの動画撮影処理を示すフローチャートである。
【図３】実施の形態に係るデジタルカメラの動画再生処理を示すフローチャートである。
【図４】実施の形態に係るデジタルカメラの静止画撮影処理を示すフローチャートである。
【図５】実施の形態に係るデジタルカメラの静止画再生処理を示すフローチャートである。
【図６】実施の形態に係るデジタルカメラの高速連続撮影処理を示すフローチャートである。
【図７】実施の形態に係るデジタルカメラにおいて高速連続撮影された画像の再生処理を示すフローチャートである。
【発明を実施するための形態】
【０００８】
以下、図面を参照して本発明の実施の形態に係るデジタルカメラについて説明する。図１は、実施の形態に係るデジタルカメラのシステム構成を示すブロック図である。デジタルカメラ２はＣＰＵ２０を備え、ＣＰＵ２０には、操作部２２、液晶表示部２４の表示を制御する表示制御部２６、被写体を撮像するためのＣＣＤ、ＣＭＯＳ等で構成される撮像素子２８、撮像素子２８から出力された撮像信号を図示しないＡ／Ｄ変換部においてＡ／Ｄ変換することにより生成された画像データを記憶する画像記憶部３０、音声を取得するためのマイク３２、マイク３２により取得した音声を図示しないＡ／Ｄ変換部においてＡ／Ｄ変換することにより生成された取得音声データを記憶する取得音声記憶部３４、音声の出力を行うスピーカ３６を制御する音声出力制御部３８、スピーカ３６から出力する音声の音声データを予め記憶する出力音声記憶部４０、撮像時に出力された音声の音声データに関する情報を記憶する情報記憶部４２、撮像された画像の画像データ及び取得音声データ等を記憶するメモリカード４４が接続されている。
【０００９】
ここで、操作部２２は、撮影モードを設定する撮影モードダイヤル、高速連続撮影（連写）モードを設定するコマンドダイヤル、撮像指示を行うシャッタボタン、予め記憶されている音声データに基づく音声を撮像時に再生する音声再生モードを設定する音声再生モードボタン、画像再生モードを設定する画像再生ボタン、画像再生時に画像データに関連付けられている音声データに関する情報に基づく音声を画像と共に再生する同時モードを設定する音声設定ボタン、再生する音声の選択等を行うマルチセレクタ等を備えている。
【００１０】
次に、図２に示すフローチャートを参照して実施の形態に係るデジタルカメラ２による動画撮影モードにおける処理についてについて説明する。まず、操作者がライブビューモードにおいて撮影モードダイヤルを操作することにより動画撮影モードが設定される（ステップＳ１０）。次に、音声再生モードボタンを操作することにより、更に音声再生モードが設定される（ステップＳ１２）。次に、出力音声記憶部４０に予め記憶されている音声データの中から、マルチセレクタを操作することにより再生する音声の音声データが選択され、シャッタボタンが半押しされると、選択された音声データに基づく音声が再生される。即ち、スピーカ３６を介して選択された音声データに基づく音声が出力される（ステップＳ１４）。
【００１１】
次に、シャッタボタンが全押しされると撮像素子２８による動画の撮像と共にマイク３２を介した音声の取得が行われる（ステップＳ１６）。次に、撮像素子２８から出力された撮像信号に基づく画像データが画像記憶部３０に記憶され、マイク３２により取得された音声の取得音声データが取得音声記憶部３４に記憶される（ステップＳ１８）。同時に、スピーカ３６から出力されている音声の音声データに関する情報が情報記憶部４２に記憶される（ステップＳ２０）。例えば、ファイル名「ＤＳＣ１．ｗａｖ」の音声データに基づく音声が出力されており、音声の再生位置が４分３２秒のときにシャッタボタンが操作されて撮像が行われると、この音声データに関する情報として、「ＤＳＣ１．ｗａｖ」というファイル名及び「４分３２秒」という再生位置が情報記憶部４２に記憶される。
【００１２】
次に、ＣＰＵ２０は、画像記憶部３０から画像データを、情報記憶部４２から音声データに関する情報を読み出し、画像データと音声データに関する情報との関連付けを行う（ステップＳ２２）。例えば、画像データをＥｘｉｆ等の所定のファイル形式でメモリカード４４に記憶する場合、この画像データのヘッダ部にファイル名「ＤＳＣ１．ｗａｖ」及び「４分３２秒」という再生位置をタグ情報として記憶することにより画像データと音声データに関する情報との関連付けを行う。関連付けが行われると、画像データと取得音声記憶部３４に記憶されている取得音声データとを関連付けてメモリカード４４に記憶する。
【００１３】
次に、図３に示すフローチャートを参照して実施の形態に係るデジタルカメラ２による画像再生モードにおける処理について説明する。まず、操作者が画像再生ボタンを操作することにより画像再生モードが設定される（ステップＳ３０）。次に、メモリカード４４から操作者により選択された画像データを読み出し（ステップＳ３２）、画像データに基づく画像を表示制御部２６を介して液晶表示部２４に再生表示する（ステップＳ３４）。次に、音声データに関する情報に基づく音声を画像再生と同時に再生する同時モードが設定されているか否かの判定が行われる（ステップＳ３６）。同時モードが設定されている場合には、ＣＰＵ２０は、画像データに関連付けられている音声データに関する情報に基づく音声データを出力音声記憶部４０から読み出し、音声データに関する情報に基づく音声を音声出力制御部３８を介してスピーカ３６から出力する（ステップＳ３８）。例えば、ファイル名「ＤＳＣ２．ｍｏｖ」の画像データにファイル名「ＤＳＣ１．ｗａｖ」、再生位置「４分３２秒」の音声データに関する情報が関連付けられている場合、ファイル名「ＤＳＣ２．ｍｏｖ」の画像データに基づく画像が液晶表示部２４に表示され、ファイル名「ＤＳＣ１．ｗａｖ」の音声データに関する情報に基づく音声が４分３２秒経過時点から再生される。これにより操作者は、撮像時の状況を効果的に思い出すことができる。一方、同時モードが設定されていない場合には、画像データに関連付けられている音声データに関する情報に基づく音声は再生されない。
【００１４】
なお、同時モードが設定されている場合、更に取得音声データに基づく音声を画像再生と同時に出力するか否かを選択できるようにしてもよい。取得音声データに基づく音声を出力することを選択した場合には、画像再生時に撮像時にマイク３２により取得された取得音声データに基づく音声、即ち環境音が、音声データに関する情報に基づく音声と共に出力される。一方、取得音声データに基づく音声を出力しないことを選択した場合には、画像再生時に環境音は出力されない。
【００１５】
また、同時モードが設定されていない場合においても、取得音声データに基づく音声を画像再生と同時に出力するか否かを選択できるようにしてもよい。取得音声データに基づく音声を出力することを選択した場合には、画像再生と共に環境音が出力される。一方、環境音を出力しないことを選択した場合には、画像のみが再生され、音声は一切出力されない。
【００１６】
ところで、動画撮影モードにおいて、出力音声記憶部４０に予め記憶されている音声データに基づく音声がスピーカ３６から出力されている状態で動画撮像を行った場合、動画の撮像と共にスピーカ３６から出力されている音声が周囲の環境音に混入した状態でマイク３２を介して取得される。取得された音声の取得音声データは、取得音声記憶部３４に記憶された後、画像データ関連付けられてメモリカード４４に記憶される。したがって、後に動画を再生する際に同時モードを設定し、更に取得音声データに基づく音声を画像再生と同時に出力することを選択した場合には、出力音声記憶部４０に予め記憶されている音声データに基づく音声と、メモリカード４４に記憶された取得音声データに基づく音声とが重複してスピーカ３６から出力されることになる。この場合、取得音声データに基づく音声から出力音声記憶部４０に予め記憶されている音声データに基づく音声を除去する音声除去機能を設けてもよい。例えば、ＣＰＵ２０に差分回路を備え、差分回路により、取得音声データに基づく音声の音声信号から出力音声記憶部４０に予め記憶されている音声データに基づく音声の音声信号を除去するようにしてもよい。これにより、観賞者は適切な環境音及び音声データに基づく音声を聞き取ることができる。また、メモリカード４４に記憶された取得音声データに基づく音声に混入している出力音声記憶部４０に予め記憶されている音声データに基づく音声の音量を調整できるようにしてもよい。これにより、例えば、動画再生時に観賞者が気にならない程度の小さい音量で重複音声を出力することができる。
【００１７】
次に、図４に示すフローチャートを参照して実施の形態に係るデジタルカメラ２による静止画撮影モードにおける処理についてについて説明する。まず、操作者が撮影モードダイヤルを操作することにより静止画撮影モードが設定される（ステップＳ５０）。次に、音声再生モードボタンを操作することにより、更に音声再生モードが設定される（ステップＳ５２）。次に、出力音声記憶部４０に予め記憶されている音声データの中から、マルチセレクタを操作することにより再生する音声の音声データが選択され、シャッタボタンが半押しされると、選択された音声データに基づく音声が再生される。即ち、スピーカ３６を介して選択された音声データに基づく音声が出力される（ステップＳ５４）。
【００１８】
次に、シャッタボタンが全押しされると撮像素子２８による静止画の撮像が行われる（ステップＳ５６）。次に、撮像素子２８から出力された撮像信号に基づく画像データが画像記憶部３０に記憶される（ステップＳ５８）。同時に、スピーカ３６から出力されている音声の音声データに関する情報が情報記憶部４２に記憶される（ステップＳ６０）。例えば、ファイル名「ＤＳＣ１．ｗａｖ」の音声データに基づく音声が出力されており、音声の再生位置が４分３２秒のときにシャッタボタンが操作されて撮像が行われると、この音声データに関する情報として、「ＤＳＣ１．ｗａｖ」というファイル名及び「４分３２秒」という再生位置が情報記憶部４２に記憶される。
【００１９】
次に、ＣＰＵ２０は、画像記憶部３０から画像データを、情報記憶部４２から音声データに関する情報を読み出し、画像データと音声データに関する情報との関連付けを行う（ステップＳ６２）。例えば、画像データをＥｘｉｆ等の所定のファイル形式でメモリカード４４に記憶する場合、この画像データのヘッダ部にファイル名「ＤＳＣ１．ｗａｖ」及び「４分３２秒」という再生位置などの音声データに関する情報をタグ情報として記憶することにより画像データと音声データに関する情報との関連付けを行う。関連付けが行われると、画像データをメモリカード４４に記憶する。
【００２０】
次に、図５に示すフローチャートを参照して実施の形態に係るデジタルカメラ２による画像再生モードにおける処理について説明する。まず、操作者が画像再生ボタンを操作することにより画像再生モードが設定される（ステップＳ７０）。次に、メモリカード４４から操作者により選択された画像データを読み出し（ステップＳ７２）、画像データに基づく画像を表示制御部２６を介して液晶表示部２４に表示する（ステップＳ７４）。次に、音声データに関する情報に基づく音声を画像再生と同時に再生する同時モードが設定されているか否かの判定が行われる（ステップＳ７６）。同時モードが設定されている場合には、ＣＰＵ２０は、画像データに関連付けられている音声データに関する情報に基づく音声データを出力音声記憶部４０から読み出し、音声データに関する情報に基づく音声を音声出力制御部３８を介してスピーカ３６から出力する（ステップＳ７８）。例えば、ファイル名「ＤＳＣ２．ｊｐｇ」の画像データにファイル名「ＤＳＣ１．ｗａｖ」、再生位置「４分３２秒」の音声データに関する情報が関連付けられている場合、ファイル名「ＤＳＣ２．ｊｐｇ」の画像データに基づく画像が液晶表示部２４に表示され、ファイル名「ＤＳＣ１．ｗａｖ」の音声データに関する情報に基づく音声が４分３２秒経過時点から再生される。これにより操作者は、撮像時の状況を容易に思い出すことができる。一方、同時モードが設定されていない場合には、画像データに関連付けられている音声データに関する情報に基づく音声は再生されない。
【００２１】
次に、図６に示すフローチャートを参照して実施の形態に係るデジタルカメラ２による高速連続撮影（連写）モードにおける処理についてについて説明する。まず、撮影モードダイヤルを操作し、更にコマンドダイヤルを操作することにより高速連続撮影（連写）モードが設定される（ステップＳ９０）。次に、音声再生モードボタンを操作することにより、更に音声再生モードが設定される（ステップＳ９２）。次に、出力音声記憶部４０に予め記憶されている音声データの中から、マルチセレクタを操作することにより再生する音声の音声データが選択され、シャッタボタンが半押しされると、選択された音声データに基づく音声が再生される。即ち、スピーカ３６を介して選択された音声データに基づく音声が出力される（ステップＳ９４）。
【００２２】
次に、シャッタボタンが全押しされると高速連続撮影が開始され、シャッタボタンが全押しされている間高速連続撮影が行われる（ステップＳ９６）。次に、撮像素子２８から出力された撮像信号に基づく画像データが順次画像記憶部３０に記憶される（ステップＳ９８）。同時に、スピーカ３６から出力されている音声の音声データに関する情報が情報記憶部４２に記憶される（ステップＳ１００）。例えば、ファイル名「ＤＳＣ１．ｗａｖ」の音声データに基づく音声が出力されており、音声の再生位置が４分３２秒のときにシャッタボタンが操作されて高速連続撮影が開始されると、この音声データに関する情報として、「ＤＳＣ１．ｗａｖ」というファイル名及び「４分３２秒」という再生位置が情報記憶部４２に記憶される。
【００２３】
次に、ＣＰＵ２０は、画像記憶部３０から一連の高速連続撮影において最初に撮像された画像の画像データを、情報記憶部４２から音声データに関する情報を読み出し、画像データと音声データに関する情報との関連付けを行う（ステップＳ１０２）。例えば、画像データをＥｘｉｆ等の所定のファイル形式でメモリカード４４に記憶する場合、最初に撮像された画像の画像データのヘッダ部にファイル名「ＤＳＣ１．ｗａｖ」及び「４分３２秒」という再生位置をタグ情報として記憶することにより最初に撮像された画像の画像データと音声データに関する情報との関連付けを行う。関連付けが行われると、最初に撮像された画像の画像データを一連の高速連続撮影において撮像された画像の画像データと共にメモリカード４４に記憶する。
【００２４】
次に、図７に示すフローチャートを参照して実施の形態に係るデジタルカメラ２による画像再生モードにおける処理について説明する。まず、操作者が図示しない画像再生ボタンを操作することにより画像再生モードが設定される（ステップＳ１１０）。次に、メモリカード４４から操作者により選択された一連の画像データを読み出し（ステップＳ１１２）、これらの画像データに基づく画像を表示制御部２６を介して液晶表示部２４に表示する（ステップＳ１１４）。次に、音声データに関する情報に基づく音声を画像再生と同時に再生する同時モードが設定されているか否かの判定が行われる（ステップＳ１１６）。同時モードが設定されている場合には、ＣＰＵ２０は、最初に撮像された画像の画像データに関連付けられている音声データに関する情報に基づく音声データを出力音声記憶部４０から読み出し、音声データに関する情報に基づく音声を音声出力制御部３８を介してスピーカ３６から出力する（ステップＳ１１８）。例えば、ファイル名「ＤＳＣ２．ｊｐｇ」という最初に撮像された画像の画像データに、ファイル名「ＤＳＣ１．ｗａｖ」、再生位置「４分３２秒」の音声データに関する情報が関連付けられている場合、ファイル名「ＤＳＣ２．ｊｐｇ」の画像データに基づく画像が液晶表示部２４に表示され、ファイル名「ＤＳＣ１．ｗａｖ」の音声データに関する情報に基づく音声がファイルの４分３２秒経過時点から再生される。この場合、ファイル名「ＤＳＣ２．ｊｐｇ」の画像データに基づく画像が一定時間表示されると、この画像データの次に記憶されている画像データに基づく画像が表示される。以後、この操作を繰り返し、順次画像が表示される。なお、音声データに関する情報に基づく音声は画像データに基づく画像の表示が終了するまで継続して再生される。これにより、動画を再生する場合とほぼ同様の画像を観賞することができる。一方、同時モードが設定されていない場合には、最初に撮像された画像の画像データに関連付けられている音声データに関する情報に基づく音声は再生されない。
【００２５】
本実施の形態に係るデジタルカメラ２によれば、同時モードにより、撮像した画像を再生する際に撮像時に出力していた音声を同時に出力するか否かを選択することができる。これにより、例えば音声を再生せず画像のみを再生し、画像を作品として観賞することができる。一方で、画像を再生せず音声のみを再生することもでき、音声を聞くことにより撮影環境を思い起こすことができる。また、音声を画像と共に出力することもでき、撮像時の状況を更に効果的に思い出させることができる。
【００２６】
なお、上述の実施の形態においては、画像データと音声データに関する情報との関連付けを行う際に撮像時における音声の再生位置を音声データに関する情報として情報記憶部４２に記憶しているが、音声の再生位置を操作者が指定できるようにしてもよい。例えば、画像の再生時において同時に再生する音声は、音楽の象徴的なサビの部分から再生できるようにしてもよい。これにより、再生時において、作品を効果的に観賞者に印象付けることができ、特に撮影者自身が観賞する場合には、強烈に撮像時の環境を思い起こすことができる。なお、静止画を撮像した場合において、撮像枚数が少ない場合には、スライドショーとして静止画像を音楽のサビの部分と共に再生することにより、短時間で効率よく観賞を行うことができる。また、音声の再生位置を音声データに関する情報として関連付けないようにしてもよい。この場合、画像の再生を行うと、同時に再生される音声は再生位置の始めから再生される。
【００２７】
また、上述の実施の形態においては、シャッタボタンを半押しすることにより音声を再生しているが、撮影モードダイヤルを操作する前から予め音声を再生しておくようにしてもよい。また、この場合において、更にシャッタボタンを半押しすることにより出力する音量を小さくできるようにしてもよい。これにより、音声に惑わされることなく撮像のみに意識を集中させることができる。
【００２８】
また、上述の実施の形態の静止画撮影モードにおいては、画像データと出力音声記憶部４０に予め記憶されている音声データに関する情報との関連付けを行っているが、画像データと撮像時にマイク３２を介して記憶された環境音の取得音声データに関する情報との関連付けを行ってもよい。これにより、画像再生時において、効果的に現場の環境を再現することができ、撮影者以外の観賞者にも現場の環境を想起させることができる。また、高速連続撮影（連写）モードにおいては、最初に撮像された画像の画像データと撮像時にマイク３２を介して記憶された環境音の取得音声データに関する情報との関連付けを行ってもよい。
【００２９】
また、上述の実施の形態において、再生中の音声の再生状態を液晶表示部２４で確認できるようにしてもよい。例えば、再生中の音声の音声データに関する情報（音声データのファイル名、音声のタイトル、進行状況、出力状況、音質等）を液晶表示部２４の一部に表示するようにしてもよい。これにより、操作者は、撮像する画像の画像データ等に関連付けられている音声データに係る情報を確認しながら撮像を行うことができる。また、この場合、この表示を電子ビューファインダで行うようにしてもよい。
【００３０】
また、上述の実施の形態の画像再生モードにおいて、同時モードが設定されているか否かを操作者が視覚的に判別できるようにしてもよい。例えば、同時モードが設定されている場合には液晶表示部２４に同時モードであることを示すアイコンを表示し、同時モードが設定されていない場合にはアイコンを表示しないようにしてもよい。
【符号の説明】
【００３１】
２…デジタルカメラ、２０…ＣＰＵ、２２…操作部、２４…液晶表示部、２６…表示制御部、２８…撮像素子、３０…画像記憶部、３２…マイク、３４…取得音声記憶部、３６…スピーカ、３８…音声出力制御部、４０…出力音声記憶部、４２…情報記憶部、４４…メモリカード。
【図１】
0005625319.tif 000002
【図２】
0005625319.tif 000003
【図３】
0005625319.tif 000004
【図４】
0005625319.tif 000005
【図５】
0005625319.tif 000006
【図６】
0005625319.tif 000007
【図７】
0005625319.tif 000008